(57)【要約】  本発明の移動通信方法は、第１無線基地局Ｓ-ｅＮＢが、移動局ＵＥがハンドオーバすべきであると決定した場合、移動局ＵＥからシーケンス番号が連続している状態で受信されている連続上りデータを、上位ノードＳ-ＧＷによって確保されているリソースを用いて転送する工程Ａと、第１無線基地局Ｓ-ｅＮＢが、連続上りデータの上位ノードＳ-ＧＷへの転送が完了した後に転送完了通知データを上位ノードＳ-ＧＷに対して送信する工程Ｂと、上位ノードＳ-ＧＷが、転送完了通知データを受信した場合、当該リソースを解放する工程Ｃとを有する。
2009099170.tif 000002
【特許請求の範囲】
【請求項１】
第１無線基地局が、移動局が該第１無線基地局配下のセルから第２無線基地局配下のセルにハンドオーバすべきであると決定した場合、該移動局からシーケンス番号が連続している状態で受信されている連続上りデータを、上位ノードによって確保されているリソースを用いて、該上位ノードに対して転送する工程Ａと、
前記第１無線基地局が、前記連続上りデータの前記上位ノードへの転送が完了した後に、その旨を通知する転送完了通知データを該上位ノードに対して送信する工程Ｂと、
前記上位ノードが、前記転送完了通知データを受信した場合、前記リソースを解放する工程Ｃとを有することを特徴とする移動通信方法。
【請求項２】
前記工程Ａにおいて、前記第１無線基地局が、前記移動局からシーケンス番号が連続していない状態で受信されている不連続上りデータを、前記第２無線基地局に対して転送し、
前記工程Ｂにおいて、前記第１無線基地局が、前記不連続上りデータの前記第２無線基地局への転送が完了した後に、前記転送完了通知データを該第２無線基地局に対して送信することを特徴とする請求項１に記載の移動通信方法。
【請求項３】
第１無線基地局が、移動局が該第１無線基地局配下のセルから第２無線基地局配下のセルにハンドオーバすべきであると決定した場合、該移動局からシーケンス番号が連続している状態で受信されている連続上りデータを、該第２無線基地局によって確保されているリソースを用いて、該第２無線基地局に対して転送する工程Ａと、
前記第１無線基地局が、前記連続上りデータの前記第２無線基地局への転送が完了した後に、その旨を通知する転送完了通知データを該第２無線基地局に対して送信する工程Ｂと、
前記第２無線基地局が、前記転送完了通知データを受信した場合、前記リソースを解放する工程Ｃとを有することを特徴とする移動通信方法。
【請求項４】
前記工程Ａにおいて、前記第１無線基地局が、前記不連続上りデータを廃棄することを特徴とする請求項３に記載の移動通信方法。
【請求項５】
第１無線基地局が、移動局が該第１無線基地局配下のセルから第２無線基地局配下のセルにハンドオーバすべきであると決定した場合、上位ノードから受信した下りデータのうち、該移動局に対する送信が完了していない下りデータを、該第２無線基地局に対して転送する工程Ａと、
前記第２無線基地局が、転送完了通知データを受信した場合、該転送完了通知データを用いて、前記上位ノードから受信した下りデータと前記第１無線基地局から受信した前記下りデータとの間の順序制御を行う工程Ｂとを有することを特徴とする移動通信方法。
【請求項６】
前記第１無線基地局が、該第１無線基地局から前記第２無線基地局への下りデータの転送が完了した後に、その旨を示す前記転送完了通知データを該第２無線基地局に対して送信する工程Ｃを更に有することを特徴とする請求項５に記載の移動通信方法。
【請求項７】
前記第１無線基地局が、前記上位ノードから受信した前記転送完了通知データを前記第２無線基地局に対して送信する工程Ｄを更に有することを特徴とする請求項５に記載の移動通信方法。
【請求項８】
前記工程Ａにおいて、前記第１無線基地局が、所定期間の間、前記上位ノードから下りデータを受信しなかった場合に、前記転送完了通知データを前記第２無線基地局に対して送信することを特徴とする請求項６に記載の移動通信方法。
【請求項９】
前記工程Ａにおいて、前記第１無線基地局が、前記上位ノードから、下りデータの前記第２無線基地局への転送を開始したことを通知する切替完了通知を受信した場合に、前記転送完了通知データを前記第２無線基地局に対して送信することを特徴とする請求項６に記載の移動通信方法。
【請求項１０】
無線基地局であって、
移動局が前記無線基地局配下のセルから他の無線基地局配下のセルにハンドオーバすべきであると決定した場合、該移動局からシーケンス番号が連続している状態で受信されている連続上りデータを、上位ノードによって確保されているリソースを用いて、該上位ノードに対して転送するように構成されている上りデータ転送部と、
前記連続上りデータの前記上位ノードへの転送が完了した後に、その旨を通知する転送完了通知データを該上位ノードに対して送信するように構成されている転送完了通知データ送信部とを具備することを特徴とする無線基地局。
【請求項１１】
前記上りデータ転送部は、前記移動局が前記無線基地局配下のセルから他の無線基地局配下のセルにハンドオーバすべきであると決定した場合、該移動局からシーケンス番号が連続していない状態で受信されている不連続上りデータを、該他の無線基地局に対して転送するように構成されており、
前記転送完了通知データ送信部は、前記不連続上りデータの前記他の無線基地局への転送が完了した後に、前記転送完了通知データを該他の無線基地局に対して送信するように構成されていることを特徴とする請求項１０に記載の無線基地局。
【請求項１２】
無線基地局であって、
移動局が前記無線基地局配下のセルから他の無線基地局配下のセルにハンドオーバすべきであると決定した場合、該移動局からシーケンス番号が連続している状態で受信されている連続上りデータを、該他の無線基地局によって確保されているリソースを用いて、該他の無線基地局に対して転送するように構成されている上りデータ転送部と、
前記連続上りデータの前記他の無線基地局への転送が完了した後に、その旨を通知する転送完了通知データを該他の無線基地局に対して送信するように構成されている転送完了通知データ送信部とを具備することを特徴とする無線基地局。
【請求項１３】
前記上りデータ転送部は、前記不連続上りデータを廃棄するように構成されていることを特徴とする請求項１２に記載の無線基地局。
【請求項１４】
無線基地局であって、
移動局が前記無線基地局配下のセルから他の無線基地局配下のセルにハンドオーバすべきであると決定した場合、上位ノードから受信した下りデータのうち、該移動局に対する送信が完了していない下りデータを、該他の無線基地局に対して転送するように構成されている下りデータ転送部と、
前記無線基地局から前記他の無線基地局への下りデータの転送が完了した後に、その旨を示す転送完了通知データを該他の無線基地局に対して送信するように構成されている転送完了通知データ送信部とを具備することを特徴とする無線基地局。
【請求項１５】
前記転送完了通知データ送信部は、所定期間の間、前記上位ノードから下りデータを受信しなかった場合に、前記転送完了通知データを前記第２無線基地局に対して送信するように構成されていることを特徴とする請求項１４に記載の無線基地局。
【請求項１６】
前記転送完了通知データ送信部は、前記上位ノードから、下りデータの前記第２無線基地局への転送を開始したことを通知する切替完了通知を受信した場合に、前記転送完了通知データを前記第２無線基地局に対して送信するように構成されていることを特徴とする請求項１４に記載の無線基地局。
【発明の詳細な説明】
【技術分野】
【０００１】
本発明は、移動通信方法及び無線基地局に関する。
【背景技術】
【０００２】
３ＧＰＰで規定されているＬＴＥ（Ｌｏｎｇ  Ｔｅｒｍ  Ｅｖｏｌｕｔｉｏｎ）方式の移動通信システムでは、ハンドオーバ元無線基地局Ｓ-ｅＮＢが、移動局ＵＥがハンドオーバ元無線基地局Ｓ-ｅＮＢ配下のセルからハンドオーバ先無線基地局Ｔ-ｅＮＢ配下のセルにハンドオーバ（Ｘ２ハンドオーバ）すべきであると決定した場合、移動局ＵＥからシーケンス番号が連続している状態（Ｉｎ-ｓｅｑｕｅｎｃｅ）で受信されている連続上りデータ（受信バッファ内に蓄積されている）を、サービングゲートウェイ装置Ｓ-ＧＷとの間で確保されているＵプレーン用リソース（ＧＴＰ（ＧＰＲＳ  Ｔｕｎｎｅｌｉｎｇ  Ｐｒｏｔｏｃｏｌ）-Ｕトンネル）を用いて、サービングゲートウェイ装置Ｓ-ＧＷに対して転送し、移動局ＵＥからシーケンス番号が連続していない状態（Ｏｕｔ-ｓｅｑｕｅｎｃｅ）で受信されている不連続上りデータ（受信バッファ内に蓄積されている）を、ハンドオーバ先無線基地局Ｔ-ｅＮＢに対して転送するように構成されている。【０００３】
また、かかる移動通信システムでは、ハンドオーバ元無線基地局Ｓ-ｅＮＢが、ハンドオーバ先無線基地局Ｔ-ｅＮＢに対して、Ｃプレーン用リソースを用いて、不連続上りデータのハンドオーバ先無線基地局Ｔ-ｅＮＢへの転送状況について通知する（具体的には、（「ＳＮ  Ｓｔａｔｕｓ  Ｔｒａｎｓｆｅｒ」メッセージ）を送信する）ように構成されている。【０００４】
一方、かかる移動通信システムでは、ハンドオーバ元無線基地局Ｓ-ｅＮＢが、移動局ＵＥがハンドオーバ元無線基地局Ｓ-ｅＮＢ配下のセルからハンドオーバ先無線基地局Ｔ-ｅＮＢ配下のセルにハンドオーバ（Ｓ１ハンドオーバ）すべきであると決定した場合、「Ｉｎｄｉｒｅｃｔ  Ｆｏｒｗａｒｄｉｎｇ」を用いて、移動局ＵＥからシーケンス番号が連続している状態（Ｉｎ-ｓｅｑｕｅｎｃｅ）で受信されている連続上りデータ（受信バッファ内に蓄積されている）を、サービングゲートウェイ装置Ｓ-ＧＷとの間で確保されているＵプレーン用リソース（ＧＴＰ-Ｕトンネル）を用いて、サービングゲートウェイ装置Ｓ-ＧＷに対して転送し、移動局ＵＥからシーケンス番号が連続していない状態（Ｏｕｔ-ｓｅｑｕｅｎｃｅ）で受信されている不連続上りデータ（受信バッファ内に蓄積されている）を廃棄するように構成されていてもよい。【０００５】
また、かかる移動通信システムでは、ハンドオーバ元無線基地局Ｓ-ｅＮＢが、移動局ＵＥがハンドオーバ元無線基地局Ｓ-ｅＮＢ配下のセルからハンドオーバ先無線基地局Ｔ-ｅＮＢ配下のセルにハンドオーバ（Ｓ１ハンドオーバ）すべきであると決定した場合、「Ｄｉｒｅｃｔ  Ｆｏｒｗａｒｄｉｎｇ」を用いて、移動局ＵＥからシーケンス番号が連続している状態（Ｉｎ-ｓｅｑｕｅｎｃｅ）で受信されている連続上りデータ（受信バッファ内に蓄積されている）を、ハンドオーバ先無線基地局Ｔ-ｅＮＢとの間で確保されているＵプレーン用リソース（ＧＴＰ-Ｕトンネル）を用いて、ハンドオーバ先無線基地局Ｔ-ｅＮＢに対して転送し、移動局ＵＥからシーケンス番号が連続していない状態（Ｏｕｔ-ｓｅｑｕｅｎｃｅ）で受信されている不連続上りデータ（受信バッファ内に蓄積されている）を廃棄するように構成されていてもよい。【０００６】
また、かかる移動通信システムでは、ハンドオーバ元無線基地局Ｓ-ｅＮＢが、移動局ＵＥがハンドオーバ元無線基地局Ｓ-ｅＮＢ配下のセルからハンドオーバ先無線基地局Ｔ-ｅＮＢ配下のセルにハンドオーバ（Ｓ１ハンドオーバ）すべきであると決定した場合、サービングゲートウェイ装置Ｓ-ＧＷから受信した下りデータのうち、移動局ＵＥに対する送信が完了していない下りデータ（ＡＣＫを受信していない下りデータ）を、ハンドオーバ先無線基地局Ｔ-ｅＮＢに対して転送するように構成されている。【０００７】
しかしながら、従来のＬＴＥ方式の移動通信システムにおいて、移動局ＵＥが、Ｘ２ハンドオーバ及びＳ１ハンドオーバを行う場合、サービングゲートウェイ装置Ｓ-ＧＷが、ハンドオーバ元無線基地局Ｓ-ｅＮＢによる連続上りデータのサービングゲートウェイ装置Ｓ-ＧＷ（又は、ハンドオーバ先無線基地局Ｔ-ｅＮＢ）への転送の完了を検知することができず、Ｕプレーン用リソース（ＧＴＰ-Ｕトンネル）をいつまで確保し続けるべきかについて知ることができないという問題点があった。【０００８】
また、従来のＬＴＥ方式の移動通信システムにおいて、移動局ＵＥが、Ｓ１ハンドオーバを行う場合、ハンドオーバ先無線基地局Ｔ-ｅＮＢが、ハンドオーバ元無線基地局Ｓ-ｅＮＢによる下りデータのハンドオーバ先無線基地局Ｔ-ｅＮＢへの転送の完了を検知することができず、サービングゲートウェイ装置Ｓ-ＧＷから受信した下りデータとハンドオーバ元無線基地局Ｓ-ｅＮＢから受信した下りデータとの間で順序制御を行うことができないという問題点があった。
【発明の開示】
【０００９】
そこで、本発明は、上述の課題に鑑みてなされたものであり、移動局ＵＥが、Ｘ２ハンドオーバ及びＳ１ハンドオーバを行う場合、サービングゲートウェイ装置Ｓ-ＧＷが、ハンドオーバ元無線基地局Ｓ-ｅＮＢによる連続上りデータのサービングゲートウェイ装置Ｓ-ＧＷ（又は、ハンドオーバ先無線基地局Ｔ-ｅＮＢ）への転送の完了を検知することを可能とする移動通信方法及び無線基地局を提供することを目的とする。
【００１０】
また、本発明は、上述の課題に鑑みてなされたものであり、移動局ＵＥが、Ｓ１ハンドオーバを行う場合、ハンドオーバ先無線基地局Ｔ-ｅＮＢが、ハンドオーバ元無線基地局Ｓ-ｅＮＢによる下りデータのハンドオーバ先無線基地局Ｔ-ｅＮＢへの転送の完了を検知することを可能とする移動通信方法及び無線基地局を提供することを目的とする。
【００１１】
本発明の第１の特徴は、移動通信方法であって、第１無線基地局が、移動局が該第１無線基地局配下のセルから第２無線基地局配下のセルにハンドオーバすべきであると決定した場合、該移動局からシーケンス番号が連続している状態で受信されている連続上りデータを、上位ノードによって確保されているリソースを用いて、該上位ノードに対して転送する工程Ａと、前記第１無線基地局が、前記連続上りデータの前記上位ノードへの転送が完了した後に、その旨を通知する転送完了通知データを該上位ノードに対して送信する工程Ｂと、前記上位ノードが、前記転送完了通知データを受信した場合、前記リソースを解放する工程Ｃとを有することを要旨とする。
【００１２】
本発明の第１の特徴において、前記工程Ａにおいて、前記第１無線基地局が、前記移動局からシーケンス番号が連続していない状態で受信されている不連続上りデータを、前記第２無線基地局に対して転送し、前記工程Ｂにおいて、前記第１無線基地局が、前記不連続上りデータの前記第２無線基地局への転送が完了した後に、前記転送完了通知データを該上位ノードに対して送信してもよい。
【００１３】
本発明の第２の特徴は、移動通信方法であって、第１無線基地局が、移動局が該第１無線基地局配下のセルから第２無線基地局配下のセルにハンドオーバすべきであると決定した場合、該移動局からシーケンス番号が連続している状態で受信されている連続上りデータを、該第２無線基地局によって確保されているリソースを用いて、該第２無線基地局に対して転送する工程Ａと、前記第１無線基地局が、前記連続上りデータの前記第２無線基地局への転送が完了した後に、その旨を通知する転送完了通知データを該第２無線基地局に対して送信する工程Ｂと、前記第２無線基地局が、前記転送完了通知データを受信した場合、前記リソースを解放する工程Ｃとを有することを要旨とする。
【００１４】
本発明の第２の特徴において、前記工程Ａにおいて、前記第１無線基地局が、前記不連続上りデータを廃棄してもよい。
【００１５】
本発明の第３の特徴は、移動通信方法であって、第１無線基地局が、移動局が該第１無線基地局配下のセルから第２無線基地局配下のセルにハンドオーバすべきであると決定した場合、上位ノードから受信した下りデータのうち、該移動局に対する送信が完了していない下りデータを、該第２無線基地局に対して転送する工程Ａと、前記第２無線基地局が、転送完了通知データを受信した場合、該転送完了通知データを用いて、前記上位ノードから受信した下りデータと前記第１無線基地局から受信した前記下りデータとの間の順序制御を行う工程Ｃとを有することを要旨とする。
【００１６】
本発明の第３の特徴において、前記第１無線基地局が、該第１無線基地局から前記第２無線基地局への下りデータの転送が完了した後に、その旨を示す前記転送完了通知データを該第２無線基地局に対して送信する工程Ｃを更に有してもよい。
【００１７】
本発明の第３の特徴において、前記第１無線基地局が、前記上位ノードから受信した前記転送完了通知データを前記第２無線基地局に対して送信する工程Ｄを更に有することを特徴とする請求項５に記載の移動通信方法。
【００１８】
本発明の第３の特徴において、前記工程Ａにおいて、前記第１無線基地局が、所定期間の間、前記上位ノードから下りデータを受信しなかった場合に、前記転送完了通知データを前記第２無線基地局に対して送信してもよい。
【００１９】
本発明の第３の特徴において、前記工程Ａにおいて、前記第１無線基地局が、前記上位ノードから、下りデータの前記第２無線基地局への転送を開始したことを通知する切替完了通知を受信した場合に、前記転送完了通知データを前記第２無線基地局に対して送信してもよい。
【００２０】
本発明の第４の特徴は、無線基地局であって、移動局が前記無線基地局配下のセルから他の無線基地局配下のセルにハンドオーバすべきであると決定した場合、該移動局からシーケンス番号が連続している状態で受信されている連続上りデータを、上位ノードによって確保されているリソースを用いて、該上位ノードに対して転送するように構成されている上りデータ転送部と、前記連続上りデータの前記上位ノードへの転送が完了した後に、その旨を通知する転送完了通知データを該上位ノードに対して送信するように構成されている転送完了通知データ送信部とを具備することを要旨とする。
【００２１】
本発明の第４の特徴において、前記上りデータ転送部は、前記移動局が前記無線基地局配下のセルから他の無線基地局配下のセルにハンドオーバすべきであると決定した場合、該移動局からシーケンス番号が連続していない状態で受信されている不連続上りデータを、該他の無線基地局に対して転送するように構成されており、前記転送完了通知データ送信部は、前記不連続上りデータの前記他の無線基地局への転送が完了した後に、前記転送完了通知データを該他の無線基地局に対して送信するように構成されていてもよい。
【００２２】
本発明の第５の特徴は、無線基地局であって、移動局が前記無線基地局配下のセルから他の無線基地局配下のセルにハンドオーバすべきであると決定した場合、該移動局からシーケンス番号が連続している状態で受信されている連続上りデータを、該他の無線基地局によって確保されているリソースを用いて、該他の無線基地局に対して転送するように構成されている上りデータ転送部と、前記連続上りデータの前記他の無線基地局への転送が完了した後に、その旨を通知する転送完了通知データを該他の無線基地局に対して送信するように構成されている転送完了通知データ送信部とを具備することを要旨とする。
【００２３】
本発明の第５の特徴において、前記上りデータ転送部は、前記不連続上りデータを廃棄するように構成されていてもよい。
【００２４】
本発明の第６の特徴は、無線基地局であって、移動局が前記無線基地局配下のセルから他の無線基地局配下のセルにハンドオーバすべきであると決定した場合、上位ノードから受信した下りデータのうち、該移動局に対する送信が完了していない下りデータを、該他の無線基地局に対して転送するように構成されている下りデータ転送部と、前記無線基地局から前記他の無線基地局への下りデータの転送が完了した後に、その旨を示す転送完了通知データを該他の無線基地局に対して送信するように構成されている転送完了通知データ送信部とを具備することを要旨とする。
【００２５】
本発明の第６の特徴において、前記転送完了通知データ送信部は、所定期間の間、前記上位ノードから下りデータを受信しなかった場合に、前記転送完了通知データを前記第２無線基地局に対して送信するように構成されていてもよい。
【００２６】
本発明の第６の特徴において、前記転送完了通知データ送信部は、前記上位ノードから、下りデータの前記第２無線基地局への転送を開始したことを通知する切替完了通知を受信した場合に、前記転送完了通知データを前記第２無線基地局に対して送信するように構成されていてもよい。
【図面の簡単な説明】
【００２７】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムにおけるＸ２ハンドオーバ手順を示すシーケンス図である。
【図４】本発明の第１の実施形態に係る移動通信システムにおけるＸ２ハンドオーバ手順を説明するための図である。
【図５】本発明の第２の実施形態に係る移動通信システムの全体構成図である。
【図６】本発明の第２の実施形態に係る移動通信システムにおけるＳ１ハンドオーバ手順を示すシーケンス図である。
【図７】本発明の第２の実施形態に係る移動通信システムにおけるＳ１ハンドオーバ手順を説明するための図である。
【図８】本発明の第３の実施形態に係る移動通信システムにおけるＳ１ハンドオーバ手順を示すシーケンス図である。
【図９】本発明の第３の実施形態に係る移動通信システムにおけるＳ１ハンドオーバ手順を説明するための図である。
【発明を実施するための最良の形態】
【００２８】
（本発明の第１の実施形態に係る移動通信システム）
図１及び図２を参照して、本発明の第１の実施形態に係る移動通信システムについて説明する。【００２９】
本実施形態では、ＬＴＥ（Ｌｏｎｇ  Ｔｅｒｍ  Ｅｖｏｌｕｔｉｏｎ）方式の移動通信システムを例に挙げて説明するが、本発明は、かかる移動通信システム以外にも適用可能である。【００３０】
図１に示すように、本実施形態では、移動局ＵＥが、ハンドオーバ元無線基地局（第１無線基地局）Ｓ-ｅＮＢ配下のセル（ハンドオーバ元セル）からハンドオーバ先無線基地局（第２無線基地局）Ｔ-ｅＮＢ配下のセル（ハンドオーバ先セル）に対してハンドオーバ（Ｘ２ハンドオーバ、Ｉｎｔｅｒ-ｅＮＢハンドオーバ）を行う場合の例について説明する。【００３１】
図２に示すように、本実施形態に係る無線基地局ｅＮＢは、ハンドオーバ処理部１１と、下りデータ受信部１２Ａと、下りデータ転送部１２Ｂと、上りデータ受信部１３Ａと、上りデータ転送部１３Ｂと、Ｅｎｄ  Ｍａｒｋｅｒデータ送信部１４とを具備している。【００３２】
ハンドオーバ処理部１１は、移動局ＵＥのハンドオーバ（例えば、Ｘ２ハンドオーバやＳ１ハンドオーバ）に関連する処理を行うように構成されている。【００３３】
具体的には、ハンドオーバ元無線基地局Ｓ-ｅＮＢのハンドオーバ処理部１１は、ハンドオーバ元無線基地局Ｓ-ｅＮＢに接続されている移動局ＵＥから受信した測定報告（Ｍｅａｓｕｒｅｍｅｎｔ  Ｒｅｐｏｒｔメッセージ）に基づいて、当該移動局ＵＥが、ハンドオーバ元無線基地局Ｓ-ｅＮＢ配下のセルからハンドオーバ先無線基地局Ｔ-ｅＮＢ配下のセルにハンドオーバすべきであるか否かについて判定するように構成されている。【００３４】
下りデータ受信部１２Ａは、サービングゲートウェイ装置Ｓ-ＧＷ（上位ノード）から送信された下りデータを受信するように構成されている。【００３５】
ハンドオーバ元無線基地局Ｓ-ｅＮＢの下りデータ転送部１２Ｂは、サービングゲートウェイ装置Ｓ-ＧＷから受信した下りデータのうち、移動局ＵＥに対する送信が完了していない下りデータ、すなわち、移動局ＵＥから肯定的な送達確認情報（ＡＣＫ）を受信していない下りデータを、ハンドオーバ先無線基地局Ｔ-ｅＮＢに対して転送するように構成されている。【００３６】
ここで、ハンドオーバ元無線基地局Ｓ-ｅＮＢの下りデータ転送部１２Ｂは、下りデータ用送信バッファに蓄積されている下りデータ（ハンドオーバ開始後に、Ｓ１インターフェイスを介して受信された下りデータを含む）のうち、ＡＣＫを受信していない下りデータだけでなく、ＡＣＫを受信していない最初の下りデータ以降の全ての下りデータ（ＡＣＫを受信している下りデータを含む）を、ハンドオーバ先無線基地局Ｔ-ｅＮＢに対して転送するように構成されていてもよい。【００３７】
上りデータ受信部１３Ａは、移動局ＵＥから送信された上りデータを受信するように構成されている。【００３８】
ハンドオーバ元無線基地局Ｓ-ｅＮＢの上りデータ転送部１３Ｂは、移動局ＵＥがハンドオーバ元無線基地局Ｓ-ｅＮＢ配下のセルからハンドオーバ先無線基地局Ｔ-ｅＮＢ配下のセルにハンドオーバすべきであると決定した場合、移動局ＵＥからシーケンス番号が連続している状態（Ｉｎ-ｓｅｑｕｅｎｃｅ）で受信されている連続上りデータ（受信バッファにおいてシーケンス番号が連続している状態（Ｉｎ-ｓｅｑｕｅｎｃｅ）で蓄積されている連続上りデータ）を、サービングゲートウェイ装置Ｓ-ＧＷ（上位ノード）によって確保されているＵプレーン用リソース（ＧＴＰ-Ｕトンネル）を用いて、サービングゲートウェイ装置Ｓ-ＧＷに対して転送するように構成されている。【００３９】
また、ハンドオーバ元無線基地局Ｓ-ｅＮＢの上りデータ転送部１３Ｂは、移動局ＵＥがハンドオーバ元無線基地局Ｓ-ｅＮＢ配下のセルからハンドオーバ先無線基地局Ｔ-ｅＮＢ配下のセルにハンドオーバすべきであると決定した場合、移動局ＵＥからシーケンス番号が連続していない状態（Ｏｕｔ-ｓｅｑｕｅｎｃｅ）で受信されている不連続上りデータ（受信バッファにおいてシーケンス番号が連続していない状態（Ｏｕｔ-ｓｅｑｕｅｎｃｅ）で蓄積されている不連続上りデータ）を、ハンドオーバ先無線基地局Ｔ-ｅＮＢに対して転送するように構成されている。【００４０】
Ｅｎｄ  Ｍａｒｋｅｒデータ送信部１４は、上述の連続上りデータのサービングゲートウェイ装置Ｓ-ＧＷへの転送が完了した後に、その旨を通知するＥｎｄ  Ｍａｒｋｅｒデータ（転送完了通知データ）を、サービングゲートウェイ装置Ｓ-ＧＷに対して送信するように構成されている。【００４１】
また、Ｅｎｄ  Ｍａｒｋｅｒデータ送信部１４は、上述の不連続上りデータのハンドオーバ先無線基地局Ｔ-ｅＮＢへの転送が完了した後に、Ｅｎｄ  Ｍａｒｋｅｒデータを、ハンドオーバ先無線基地局Ｔ-ｅＮＢに対して送信するように構成されていてもよい。【００４２】
（本発明の第１の実施形態に係る移動通信システムの動作）
図３及び図４を参照して、本発明の第１の実施形態に係る移動通信システムの動作について説明する。【００４３】
図３に示すように、ステップＳ１００１において、ハンドオーバ元無線基地局Ｓ-ｅＮＢは、ハンドオーバ元無線基地局Ｓ-ｅＮＢに接続されている移動局ＵＥから受信した測定報告（「Ｍｅａｓｕｒｅｍｅｎｔ  Ｒｅｐｏｒｔ」メッセージ）に基づいて、当該移動局ＵＥが、ハンドオーバ元無線基地局Ｓ-ｅＮＢ配下のセルからハンドオーバ先無線基地局Ｔ-ｅＮＢ配下のセルにハンドオーバ（Ｘ２ハンドオーバ）すべきであると判定し、その旨を指示するハンドオーバ指示（「Ｈａｎｄｏｖｅｒ  Ｃｏｍｍａｎｄ」メッセージ）を当該移動局ＵＥに対して送信する。【００４４】
ステップＳ１００２において、ハンドオーバ元無線基地局Ｓ-ｅＮＢは、移動局ＵＥからシーケンス番号が連続している状態（Ｉｎ-ｓｅｑｕｅｎｃｅ）で受信されている連続上りデータ（受信バッファにおいてシーケンス番号が連続している状態（Ｉｎ-ｓｅｑｕｅｎｃｅ）で蓄積されている連続上りデータ）を、サービングゲートウェイ装置Ｓ-ＧＷ（上位ノード）によって確保されているＵプレーン用リソース（ＧＴＰ-Ｕトンネル）を用いて、サービングゲートウェイ装置Ｓ-ＧＷに対して転送する。【００４５】
ステップＳ１００３において、ハンドオーバ元無線基地局Ｓ-ｅＮＢは、移動局ＵＥからシーケンス番号が連続していない状態（Ｏｕｔ-ｓｅｑｕｅｎｃｅ）で受信されている不連続上りデータ（受信バッファにおいてシーケンス番号が連続していない状態（Ｏｕｔ-ｓｅｑｕｅｎｃｅ）で蓄積されている不連続上りデータ）を検出する。【００４６】
ここで、図４（ａ）に示すように、ハンドオーバ元無線基地局Ｓ-ｅＮＢは、移動局ＵＥからシーケンス番号「０」〜「３」、「５」、「６」及び「８」の上りデータを受信し、受信バッファに蓄積しているものとする。【００４７】
かかる場合、シーケンス番号「０」〜「３」の上りデータが、移動局ＵＥからシーケンス番号が連続している状態（Ｉｎ-ｓｅｑｕｅｎｃｅ）で受信されている連続上りデータ（受信バッファにおいてシーケンス番号が連続している状態（Ｉｎ-ｓｅｑｕｅｎｃｅ）で蓄積されている連続上りデータ）である。【００４８】
また、シーケンス番号「５」、「６」及び「８」の上りデータが、移動局ＵＥからシーケンス番号が連続していない状態（Ｏｕｔ-ｓｅｑｕｅｎｃｅ）で受信されている不連続上りデータ（受信バッファにおいてシーケンス番号が連続していない状態（Ｏｕｔ-ｓｅｑｕｅｎｃｅ）で蓄積されている不連続上りデータ）である。【００４９】
なお、図４（ａ）の例において、無線基地局Ｓ-ｅＮＢにおいて、シーケンス番号「５」の上りデータ及びシーケンス番号「６」の上りデータは、連続して受信されているが、ハンドオーバ元シーケンス番号「４」の上りデータが受信されていないため、不連続上りデータとなる。【００５０】
ステップＳ１００４において、ハンドオーバ元無線基地局Ｓ-ｅＮＢは、上述の連続上りデータのサービングゲートウェイ装置Ｓ-ＧＷへの転送が完了したものと判断して、その旨を通知するＥｎｄ  Ｍａｒｋｅｒデータを、サービングゲートウェイ装置Ｓ-ＧＷに対して送信する。【００５１】
ステップＳ１００５Ａにおいて、ハンドオーバ元無線基地局Ｓ-ｅＮＢは、ハンドオーバ先無線基地局Ｔ-ｅＮＢに対して、上述の不連続上りデータのハンドオーバ先無線基地局Ｔ-ｅＮＢへの転送状況について通知する（具体的には、（「ＳＮ  Ｓｔａｔｕｓ  Ｔｒａｎｓｆｅｒ」メッセージ）を送信する）。【００５２】
図４（ａ）の例では、「ＳＮ  Ｓｔａｔｕｓ  Ｔｒａｎｓｆｅｒ」メッセージは、シーケンス番号「５」、「６」及び「８」の上りデータをハンドオーバ先無線基地局Ｔ-ｅＮＢに転送していることを示す。【００５３】
ステップＳ１００５Ｂにおいて、ハンドオーバ元無線基地局Ｓ-ｅＮＢは、上述の不連続上りデータを、ハンドオーバ先無線基地局Ｔ-ｅＮＢに対して転送する。【００５４】
ここで、ハンドオーバ元無線基地局Ｓ-ｅＮＢは、上述の不連続上りデータのハンドオーバ先無線基地局Ｔ-ｅＮＢへの転送が完了した場合、その旨を通知するＥｎｄ  Ｍａｒｋｅｒデータを、ハンドオーバ先無線基地局Ｔ-ｅＮＢに対して送信する。【００５５】
なお、ステップＳ１００５Ｂは、ステップＳ１００４やステップＳ１００５Ａの前に行われてもよい。【００５６】
ステップＳ１００６において、ハンドオーバ先無線基地局Ｔ-ｅＮＢは、上述の「ＳＮ  Ｓｔａｔｕｓ  Ｔｒａｎｓｆｅｒ」メッセージを、移動局ＵＥに通知する。【００５７】
ステップＳ１００７において、移動局ＵＥは、ハンドオーバ元無線基地局Ｓ-ｅＮＢから受信した肯定的な送達確認情報（ＡＣＫ）及びハンドオーバ先無線基地局Ｔ-ｅＮＢから通知された「ＳＮ  Ｓｔａｔｕｓ  Ｔｒａｎｓｆｅｒ」メッセージに応じて、上りデータの再送制御を行う。【００５８】
例えば、移動局ＵＥは、図４（ｂ）に示すように、シーケンス番号「０」〜「２」、「５」及び「８」の上りデータに対して送達確認情報（ＡＣＫ）を受信しており、図４（ａ）に示す上りデータの転送状況を示す「ＳＮ  Ｓｔａｔｕｓ  Ｔｒａｎｓｆｅｒ」メッセージを受信した場合、図４（ｃ）に示すように、シーケンス番号「４」及び「７」の上りデータについてのみ再送する。【００５９】
（本発明の第１の実施形態に係る移動通信システムの作用・効果）
本発明の第１の実施形態に係る移動通信システムによれば、移動局ＵＥが、Ｘ２ハンドオーバを行う場合に、サービングゲートウェイ装置Ｓ-ＧＷが、Ｅｎｄ  Ｍａｒｋｅｒデータによって、ハンドオーバ元無線基地局Ｓ-ｅＮＢによる連続上りデータのサービングゲートウェイ装置Ｓ-ＧＷへの転送の完了を検知することができる。【００６０】
（本発明の第２の実施形態に係る移動通信システム）
図５乃至図７を参照して、本発明の第２の実施形態に係る移動通信システムについて説明する。以下、本実施形態に係る移動通信システムについて、上述の第１の実施形態に係る移動通信システムとの相違点に着目して説明する。【００６１】
図５に示すように、本実施形態では、移動局ＵＥが、ハンドオーバ元無線基地局（第１無線基地局）Ｓ-ｅＮＢ配下のセル（ハンドオーバ元セル）からハンドオーバ先無線基地局（第２無線基地局）Ｔ-ｅＮＢ配下のセル（ハンドオーバ先セル）に対してハンドオーバ（Ｓ１ハンドオーバ、Ｉｎｔｅｒ-ｅＮＢハンドオーバ）を行う場合の下りデータに着目した例について説明する。【００６２】
本実施形態では、ハンドオーバ元無線基地局Ｓ-ｅＮＢのＥｎｄ  Ｍａｒｋｅｒデータ送信部１４は、「Ｉｎｄｉｒｅｃｔ  Ｆｏｒｗａｒｄｉｎｇ」方法を用いている場合、ハンドオーバ元サービングゲートウェイ装置Ｓ-Ｓ-ＧＷ及びハンドオーバ先サービングゲートウェイ装置Ｔ-Ｓ-ＧＷを介したハンドオーバ元無線基地局Ｓ-ｅＮＢからハンドオーバ先無線基地局Ｔ-ｅＮＢへの下りデータの転送が完了した後に、その旨を示すＥｎｄ  Ｍａｒｋｅｒデータ（転送完了通知データ）を、ハンドオーバ元サービングゲートウェイ装置Ｓ-Ｓ-ＧＷに対して送信するように構成されている。【００６３】
また、ハンドオーバ元無線基地局Ｓ-ｅＮＢのＥｎｄ  Ｍａｒｋｅｒデータ送信部１４は、「Ｄｉｒｅｃｔ  Ｆｏｒｗａｒｄｉｎｇ」方法を用いている場合、ハンドオーバ元サービングゲートウェイ装置Ｓ-Ｓ-ＧＷ及びハンドオーバ先サービングゲートウェイ装置Ｔ-Ｓ-ＧＷを介することなく行われたハンドオーバ元無線基地局Ｓ-ｅＮＢからハンドオーバ先無線基地局Ｔ-ｅＮＢへの下りデータの転送が完了した後に、その旨を示すＥｎｄ  Ｍａｒｋｅｒデータ（転送完了通知データ）を、ハンドオーバ先無線基地局Ｔ-ｅＮＢに対して送信するように構成されている。【００６４】
具体的には、ハンドオーバ元無線基地局Ｓ-ｅＮＢのＥｎｄ  Ｍａｒｋｅｒデータ送信部１４は、所定期間の間、ハンドオーバ元サービングゲートウェイ装置Ｓ-Ｓ-ＧＷから下りデータを受信しなかった場合に、Ｅｎｄ  Ｍａｒｋｅｒデータを、ハンドオーバ先無線基地局Ｔ-ｅＮＢに又はハンドオーバ元サービングゲートウェイ装置Ｓ-Ｓ-ＧＷ対して送信するように構成されていてもよい。【００６５】
また、ハンドオーバ元無線基地局Ｓ-ｅＮＢのＥｎｄ  Ｍａｒｋｅｒデータ送信部１４は、ハンドオーバ元交換機Ｓ-ＭＭＥ（上位ノード）から、下りデータのハンドオーバ先無線基地局Ｔ-ｅＮＢへの転送を開始したことを通知する切替完了通知（Ｓ１ハンドオーバ手順における「Ｒｅｌｅａｓｅ  Ｒｅｓｏｕｒｃｅ」メッセージ）を受信した場合に、Ｅｎｄ  Ｍａｒｋｅｒデータを、ハンドオーバ先無線基地局Ｔ-ｅＮＢ又はハンドオーバ元サービングゲートウェイ装置Ｓ-Ｓ-ＧＷに対して送信するように構成されていてもよい。【００６６】
また、ハンドオーバ元無線基地局Ｓ-ｅＮＢのＥｎｄ  Ｍａｒｋｅｒデータ送信部１４は、ハンドオーバ元サービングゲートウェイ装置Ｓ-Ｓ-ＧＷ（上位ノード）から、Ｅｎｄ  Ｍａｒｋｅｒデータを受信した場合に、かかるＥｎｄ  Ｍａｒｋｅｒデータを、ハンドオーバ先無線基地局Ｔ-ｅＮＢ又はハンドオーバ元サービングゲートウェイ装置Ｓ-Ｓ-ＧＷに対して送信するように構成されていてもよい。【００６７】
例えば、ハンドオーバ元サービングゲートウェイ装置Ｓ-Ｓ-ＧＷ（上位ノード）は、ハンドオーバ元無線基地局Ｓ-ｅＮＢからハンドオーバ先無線基地局Ｔ-ｅＮＢへの「Ｐａｔｈ  Ｓｗｉｔｃｈ」を行った際に、ハンドオーバ元無線基地局Ｓ-ｅＮＢに対して、かかるＥｎｄ  Ｍａｒｋｅｒデータを送信するように構成されていてもよい。【００６８】
なお、ハンドオーバ元サービングゲートウェイ装置Ｓ-Ｓ-ＧＷの機能が、ハンドオーバ元無線基地局Ｓ-ｅＮＢ内に設けられており、ハンドオーバ先サービングゲートウェイ装置Ｔ-Ｓ-ＧＷの機能が、ハンドオーバ先無線基地局Ｔ-ｅＮＢ内に設けられていてもよい。【００６９】
次に、図６を参照して、本発明の第２の実施形態に係る移動通信システムの動作について説明する。【００７０】
図６に示すように、ステップＳ２００１において、ハンドオーバ元無線基地局Ｓ-ｅＮＢは、ハンドオーバ元無線基地局Ｓ-ｅＮＢに接続されている移動局ＵＥから受信した測定報告（「Ｍｅａｓｕｒｅｍｅｎｔ  Ｒｅｐｏｒｔ」メッセージ）に基づいて、当該移動局ＵＥが、ハンドオーバ元無線基地局Ｓ-ｅＮＢ配下のセルからハンドオーバ先無線基地局Ｔ-ｅＮＢ配下のセルにハンドオーバ（Ｓ１ハンドオーバ）すべきであるかと判定し、その旨を指示するハンドオーバ指示（「Ｈａｎｄｏｖｅｒ  Ｃｏｍｍａｎｄ」メッセージ）を当該移動局ＵＥに対して送信する。【００７１】
ステップＳ２００２において、ハンドオーバ元無線基地局Ｓ-ｅＮＢは、ハンドオーバ元サービングゲートウェイ装置Ｓ-Ｓ-ＧＷから受信した下りデータのうち、移動局ＵＥに対する送信が完了していない下りデータ、具体的には、移動局ＵＥから肯定的な送達確認情報（ＡＣＫ）を受信していない最初の下りデータ以降の全ての下りデータを、ハンドオーバ先無線基地局Ｔ-ｅＮＢに対して転送する。【００７２】
ここで、ハンドオーバ元無線基地局Ｓ-ｅＮＢは、「Ｄｉｒｅｃｔ  Ｆｏｒｗａｒｄｉｎｇ」方法が用いられている場合、ハンドオーバ元サービングゲートウェイ装置Ｓ-Ｓ-ＧＷ及びハンドオーバ先サービングゲートウェイ装置Ｔ-Ｓ-ＧＷを介することなく、かかる下りデータをハンドオーバ先無線基地局Ｔ-ｅＮＢに対して転送し、「Ｉｎｄｉｒｅｃｔ  Ｆｏｒｗａｒｄｉｎｇ」方法が用いられている場合、ハンドオーバ元サービングゲートウェイ装置Ｓ-Ｓ-ＧＷ及びハンドオーバ先サービングゲートウェイ装置Ｔ-Ｓ-ＧＷを介して、かかる下りデータをハンドオーバ先無線基地局Ｔ-ｅＮＢに対して転送する。【００７３】
図７の例では、ハンドオーバ元無線基地局Ｓ-ｅＮＢは、シーケンス番号「３」の下りデータについて肯定的な送達確認情報（ＡＣＫ）を受信していないため、シーケンス番号「３」〜「１０」の全ての下りデータについて、ハンドオーバ先無線基地局Ｔ-ｅＮＢに対して転送する。【００７４】
ハンドオーバ元無線基地局Ｓ-ｅＮＢは、ステップＳ２００３において、ハンドオーバ元無線基地局Ｓ-ｅＮＢからハンドオーバ先無線基地局Ｔ-ｅＮＢへの下りデータの転送が完了したことを検知し、ステップＳ２００４において、Ｅｎｄ  Ｍａｒｋｅｒデータをハンドオーバ先無線基地局Ｔ-ｅＮＢに対して送信する。【００７５】
ハンドオーバ先無線基地局Ｔ-ｅＮＢは、Ｅｎｄ  Ｍａｒｋｅｒデータを受信した場合、かかるＥｎｄ  Ｍａｒｋｅｒデータを用いて、前記上位ノードから受信した下りデータと前記第１無線基地局から受信した前記下りデータとの間の順序制御を行う。【００７６】
ここで、Ｅｎｄ  Ｍａｒｋｅｒデータは、ハンドオーバ元サービングゲートウェイ装置Ｓ-Ｓ-ＧＷによって送信されたものであってもよい。【００７７】
本発明の第２の実施形態に係る移動通信システムによれば、移動局ＵＥが、Ｓ１ハンドオーバを行う場合、ハンドオーバ先無線基地局Ｔ-ｅＮＢが、Ｅｎｄ  Ｍａｋｒデータによって、ハンドオーバ元無線基地局Ｓ-ｅＮＢによる下りデータのハンドオーバ先無線基地局Ｔ-ｅＮＢへの転送の完了を検知することができ、ハンドオーバ元サービングゲートウェイ装置Ｓ-ＧＷが、Ｅｎｄ  Ｍａｒｋｅｒデータによって、ハンドオーバ元無線基地局Ｓ-ｅＮＢによる下りデータのハンドオーバ元サービングゲートウェイ装置Ｓ-ＧＷに対する転送の完了を検知することができる。【００７８】
（本発明の第３の実施形態に係る移動通信システム）
図５、図８及び図９を参照して、本発明の第３の実施形態に係る移動通信システムについて説明する。以下、本実施形態に係る移動通信システムについて、上述の第１の実施形態に係る移動通信システムとの相違点に着目して説明する。【００７９】
図５に示すように、本実施形態では、移動局ＵＥが、ハンドオーバ元無線基地局（第１無線基地局）Ｓ-ｅＮＢ配下のセル（ハンドオーバ元セル）からハンドオーバ先無線基地局（第２無線基地局）Ｔ-ｅＮＢ配下のセル（ハンドオーバ先セル）に対してハンドオーバ（Ｓ１ハンドオーバ、Ｉｎｔｅｒ-ｅＮＢハンドオーバ）を行う場合の上りデータに着目した例について説明する。【００８０】
本実施形態では、ハンドオーバ元無線基地局Ｓ-ｅＮＢの上りデータ転送部１３Ｂは、移動局ＵＥからシーケンス番号が連続していない状態で受信されている上りデータ（受信バッファにシーケンス番号が連続していない状態で蓄積されている上りデータ）を廃棄するように構成されている。【００８１】
ここで、図８及び図９を参照して、本発明の第３の実施形態に係る移動通信システムの動作について説明する。【００８２】
図８に示すように、ステップＳ３００１において、ハンドオーバ元無線基地局Ｓ-ｅＮＢは、ハンドオーバ元無線基地局Ｓ-ｅＮＢに接続されている移動局ＵＥから受信した測定報告（「Ｍｅａｓｕｒｅｍｅｎｔ  Ｒｅｐｏｒｔ」メッセージ）に基づいて、当該移動局ＵＥが、ハンドオーバ元無線基地局Ｓ-ｅＮＢ配下のセルからハンドオーバ先無線基地局Ｔ-ｅＮＢ配下のセルにハンドオーバ（Ｓ１ハンドオーバ）すべきであるかと判定し、その旨を指示するハンドオーバ指示（「Ｈａｎｄｏｖｅｒ  Ｃｏｍｍａｎｄ」メッセージ）を当該移動局ＵＥに対して送信する。【００８３】
ステップＳ３００２において、ハンドオーバ元無線基地局Ｓ-ｅＮＢは、移動局ＵＥからシーケンス番号が連続している状態（Ｉｎ-ｓｅｑｕｅｎｃｅ）で受信されている連続上りデータ（受信バッファにおいてシーケンス番号が連続している状態（Ｉｎ-ｓｅｑｕｅｎｃｅ）で蓄積されている連続上りデータ）を、サービングゲートウェイ装置Ｓ-ＧＷ（上位ノード）によって確保されているＵプレーン用リソース（ＧＴＰ-Ｕトンネル）を用いて、サービングゲートウェイ装置Ｓ-ＧＷに対して転送する。【００８４】
ステップＳ３００３Ａにおいて、ハンドオーバ元無線基地局Ｓ-ｅＮＢは、移動局ＵＥからシーケンス番号が連続していない状態（Ｏｕｔ-ｓｅｑｕｅｎｃｅ）で受信されている不連続上りデータ（受信バッファにおいてシーケンス番号が連続していない状態（Ｏｕｔ-ｓｅｑｕｅｎｃｅ）で蓄積されている不連続上りデータ）を、ハンドオーバ先無線基地局Ｔ-ｅＮＢに転送することなく廃棄する。【００８５】
ここで、ハンドオーバ元無線基地局Ｓ-ｅＮＢは、図９（ａ）に示すように、移動局ＵＥからシーケンス番号「０」〜「３」、「５」、「６」及び「８」の上りデータを受信し、受信バッファに蓄積しているものとすると、不連続上りデータであるシーケンス番号「５」、「６」及び「８」の上りデータを廃棄する。【００８６】
ステップＳ３００３Ｂにおいて、ハンドオーバ元無線基地局Ｓ-ｅＮＢは、上述の連続上りデータのサービングゲートウェイ装置Ｓ-ＧＷへの転送が完了したものと判断して、その旨を通知するＥｎｄ  Ｍａｒｋｅｒデータを、サービングゲートウェイ装置Ｓ-ＧＷに対して送信する。【００８７】
ここで、ハンドオーバ元無線基地局Ｓ-ｅＮＢは、ハンドオーバ先無線基地局Ｔ-ｅＮＢに対して、上述の「ＳＮ  Ｓｔａｔｕｓ  Ｔｒａｎｓｆｅｒ」メッセージ）を送信しない。【００８８】
したがって、ハンドオーバ先無線基地局Ｔ-ｅＮＢも、上述の「ＳＮ  Ｓｔａｔｕｓ  Ｔｒａｎｓｆｅｒ」メッセージを、移動局ＵＥに通知しない。【００８９】
そのため、ステップＳ３００６において、移動局ＵＥは、ハンドオーバ元無線基地局Ｓ-ｅＮＢから受信した肯定的な送達確認情報（ＡＣＫ）のみに応じて、上りデータの再送制御を行う。【００９０】
例えば、移動局ＵＥは、図９（ｂ）に示すように、シーケンス番号「０」〜「２」、「５」及び「８」の上りデータに対して送達確認情報（ＡＣＫ）を受信している場合、図９（ｃ）に示すように、シーケンス番号「３」〜「８」の上りデータについてのみ再送する。【００９１】
本発明の第３の実施形態に係る移動通信システムによれば、移動局ＵＥが、Ｓ１ハンドオーバを行う場合に、サービングゲートウェイ装置Ｓ-ＧＷが、Ｅｎｄ  Ｍａｒｋｅｒデータによって、ハンドオーバ元無線基地局Ｓ-ｅＮＢによる連続上りデータのサービングゲートウェイ装置Ｓ-ＧＷへの転送の完了を検知することができる。【００９２】
なお、上述の移動局ＵＥや無線基地局ｅＮＢや交換機ＭＭＥやサービングゲートウェイ装置Ｓ-ＧＷの動作は、ハードウェアによって実施されてもよいし、プロセッサによって実行されるソフトウェアモジュールによって実施されてもよいし、両者の組み合わせによって実施されてもよい。【００９３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。【００９４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ＮｏｄｅＢや無線制御装置ＲＮＣ内に設けられていてもよい。また、かかる記憶媒体及びプロセッサは、ディスクリートコンポーネントとして移動局ＵＥや無線基地局ｅＮＢや交換機ＭＭＥやサービングゲートウェイ装置Ｓ-ＧＷ内に設けられていてもよい。【００９５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【産業上の利用の可能性】
【００９６】
以上説明したように、本発明によれば、移動局ＵＥが、Ｘ２ハンドオーバ及びＳ１ハンドオーバを行う場合、サービングゲートウェイ装置Ｓ-ＧＷが、ハンドオーバ元無線基地局Ｓ-ｅＮＢによる連続上りデータのサービングゲートウェイ装置Ｓ-ＧＷ（又は、ハンドオーバ先無線基地局Ｔ-ｅＮＢ）への転送の完了を検知することを可能とする移動通信方法及び無線基地局を提供することができる。
【００９７】
また、本発明によれば、移動局ＵＥが、Ｓ１ハンドオーバを行う場合、ハンドオーバ先無線基地局Ｔ-ｅＮＢが、ハンドオーバ元無線基地局Ｓ-ｅＮＢによる下りデータのハンドオーバ先無線基地局Ｔ-ｅＮＢへの転送の完了を検知することを可能とする移動通信方法及び無線基地局を提供することができる。
【図１】
2009099170.tif 000003
【図２】
2009099170.tif 000004
【図３】
2009099170.tif 000005
【図４】
2009099170.tif 000006
【図５】
2009099170.tif 000007
【図６】
2009099170.tif 000008
【図７】
2009099170.tif 000009
【図８】
2009099170.tif 000010
【図９】
2009099170.tif 000011
【国際調査報告】
2009099170.tif 000012
2009099170.tif 000013
2009099170.tif 000014